(57)【要約】      （修正有）【課題】外壁材の廃棄に際して、金属系板材から裏面の断熱層（発泡樹脂部）を剥離する作業に適する電動剥離工具を提供する。【解決手段】部品として、先部下方に左右横移動振動軸を備えた所定の手持ち電動工具本体１に装着するもので、薄板状で、基部に振動軸部に装着できる透孔を設け、前縁に中央部が膨出した刃部２２を備えた刃体部品（刃体部２）と、工具本体の先部に装着固定できる装着部を備えると共に、工具本体に装着した際に、工具本体装着の刃体部における前縁後方上面近傍に先端が位置する庇状の傾斜ガイド面部３２を有する鍔部品（鍔部３）を備える。【選択図】図４
0003138501.tif 000002
【実用新案登録請求の範囲】
【請求項１】
先部下方に左右横移動振動軸を備えた所定の手持ち電動工具本体に装着する部品であって、薄板状で、基部に前記工具本体の振動軸部に装着できる透孔を設け、前縁に中央部が膨出した刃部を備えた刃体部品と、工具本体の先部に装着固定できる装着部を備えると共に、工具本体に装着した際に、工具本体装着の刃体部品における前縁後方上面近傍に先端が位置する庇状の傾斜ガイド面部を有する鍔部品とからなる建物外壁材の裏面断熱層の電動剥離工具の部品。
【請求項２】
刃体部品の前縁全体を波型に形成すると共に、前縁の中央部を側方部分より突出させた波型とした請求項１記載の建物外壁材の裏面断熱層の電動剥離工具の部品。
【請求項３】
請求項１記載の建物外壁材の裏面断熱層の電動剥離工具の部品において、中央膨出刃部に代えて刃体部品の前縁に所定の間隔で突出させた櫛状の刃部を備えた建物外壁材の裏面断熱層の電動剥離工具の部品。
【請求項４】
駆動モータを内蔵し、先部下方に左右横振動する振動軸を垂設した手持ち電動工具本体に、薄板状で、基部を前記工具本体の振動軸部に装着できる透孔を設け、前縁に中央部を膨出させた刃部を備えた刃体部品と、工具本体の先部に装着固定できる装着部を備えると共に、工具本体に装着した際に、工具本体装着の刃体部品における前縁後方上面近傍に先端が位置する庇状の傾斜ガイド面部を有する鍔部品を、各々装着してなる建物外壁材の裏面断熱層の電動剥離工具。
【請求項５】
刃体部品の前縁全体を波型に形成すると共に、前縁の中央部を側方部分より突出させた波型とした請求項４記載の建物外壁材の裏面断熱層の電動剥離工具。
【請求項６】
請求項４記載の建物外壁材の裏面断熱層の電動剥離工具において、刃体部品における中央膨出刃部に代えて刃体部品の前縁に所定の間隔で突出させた櫛状の刃部を備えた建物外壁材の裏面断熱層の電動剥離工具。
【請求項７】
工具本体に、持ち手部を付設してなる請求項４乃至６記載の何れかの建物外壁材の裏面断熱層の電動剥離工具。
【請求項８】
先端に工具本体に連結する連結部と、所定の長さの棒状把手部と、棒状把手部の途中位置から横方に突出させた把持部とを備えた操作部品を、工具本体に装着してなる請求項４乃至６記載の何れかの建物外壁材の裏面断熱層の電動剥離工具。
【考案の詳細な説明】
【技術分野】
【０００１】
本考案は、建物外壁材の裏面の断熱層（発泡ウレタン層）を剥離するための手持ちの電動剥離工具及び前記電動剥離工具を構成する部品に関するものである。
【背景技術】
【０００２】
建物外壁材は種々の構造のものが知られているが、最も一般的に採用されている構造は、金属系板材（以下「表面板」という）の裏面に断熱機能を備えた発泡樹脂で形成された層（発泡ウレタンが多用されており、以下「発泡樹脂部」という）が設けられている（例えば特許文献１参照）。この建物外壁材を廃棄する場合には、資源リサイクルを考慮して表面板と発泡樹脂部とを分離する必要がある。
【０００３】
分離手段として発泡樹脂部を表面板から剥離すれば良いものであり、従前は、ヘラ状の手道具で発泡樹脂部を掻き落とし、分離していた。
【０００４】
また種々の対象物に対して手持ち電動工具による剥離器具も従前より提案されている。  例えば特許文献２には、乗客用コンベアの手摺り裏面の帆布の手持ち剥ぎ取り工具が開示されており、特許文献３には手持ちの電動うろこ取り具が開示されており、これらの器具は、剥ぎ取り方向に対して突き進むように操作すると共に、剥ぎ取り作用を行なう刃体部を進行方向に振動させるものである。
【０００５】
【特許文献１】実開昭６０−１０１１２４号公報。
【特許文献２】特開平１１−１５１６８１号公報。
【特許文献３】特開２００４−１８７５１１号公報。
【考案の開示】
【考案が解決しようとする課題】
【０００６】
ところで建物外壁材の発泡樹脂部を表面板から剥離する際に、従前のヘラ状器具による掻き落とし作業では、作業自体が煩瑣であると共に、分離樹脂材が散らばってしまい、その清掃作業（樹脂材の廃棄のための寄せ集め作業）も必要であり、非常に作業効率が悪かった。
【０００７】
また前記した従前周知の剥離用の手持ち電動工具において、発泡樹脂部の剥離に対応する刃体を採用した場合には、剥ぎ取り作用を行なう刃体部が、剥ぎ取り進行方向の前後に振動する。そして外壁材の幅は広いので、刃体を左右に移動させながら、且つ剥ぎ取り方向に対して突き進むように操作することになる。
【０００８】
然し発泡樹脂部は劣化しているので、前記の刃体の突き刺しによる剥離では、突き刺して持ち上げた際に、発泡樹脂部に亀裂が入り発泡樹脂部が一枚の塊とならず分離して、その一部は粉砕して飛散してしまい、やはり手作業時と同様に煩瑣な後作業（分離樹脂材の寄せ集め作業）が必要となってしまう。
【０００９】
また外壁材において、表面板は必ずしも平らに形成されているものではなく、外壁装飾のために矩形波型断面を備えたものも存在する。このような特殊形状の外壁材においても効率的な発泡樹脂部の分離除去が望まれている。
【００１０】
そこで本考案は、表面板の裏面に断熱層（発泡樹脂部）が設けられている外壁材に対して、効果的に発泡樹脂部を剥離できる手持ちの電動剥離工具並びに前記電動剥離工具を構成する部品を提案したものである。
【課題を解決するための手段】
【００１１】
本考案（請求項１）に係る建物外壁材の裏面断熱層の電動剥離工具の部品は、先部下方に左右横移動振動軸を備えた所定の手持ち電動工具本体に装着する部品であって、薄板状で、基部に前記工具本体の振動軸部に装着できる透孔を設け、前縁に中央部が膨出した刃部を備えた刃体部品と、工具本体の先部に装着固定できる装着部を備えると共に、工具本体に装着した際に、工具本体装着の刃体部品における前縁後方上面近傍に先端が位置する庇状の傾斜ガイド面部を有する鍔部品とからなることを特徴とするものである。
【００１２】
また本考案（請求項４）に係る建物外壁材の裏面断熱層の電動剥離工具は、駆動モータを内蔵し、先部下方に左右横振動軸を垂設した所定の手持ち電動工具本体に、前記の部品を装着してなることを特徴とするものである。
【００１３】
而して前記部品を所定の手持ち電動工具本体に装着した電動剥離工具は、刃体部（工具本体に装着された刃体部品）が左右横振動をなすので、表面板の裏面に発泡樹脂部が設けられている外壁材に対して、表面板と発泡樹脂部の間に刃体部を差し入れると、刃体部の左右横振動によって発泡樹脂部と表面板との間で分離され、工具本体を外壁材の両端まで左右移動させながら前方に進行させると、発泡樹脂部は順次表面板より剥離し、工具本体の前進に伴なって剥離された発泡樹脂部は、鍔部（工具本体に装着された鍔部品）の傾斜ガイド面部に衝突して捲くり上げられることになり、分離後の発泡樹脂部は１枚のシート状となる。
【００１４】
また本考案（請求項２）に係る部品は、特に刃体部品において、刃体部品の前縁全体を波型に形成し、前縁の中央部が側方部分より突出した波型としたものであり、波型によって横方向切断が効果的に為される。
【００１５】
更に本考案（請求項３）に係る部品は、特に刃体部品において、前縁に所定の間隔で突出させた櫛状の刃部を備え、表面に突出条を設けた外壁材の突出条部分の背面の発泡樹脂部の分離に対応できるものである。
【００１６】
また本考案（請求項５，６）に係る建物外壁材の裏面断熱層の電動剥離工具は、特に工具本体に、持ち手部を付設してなるものであり、また先端に工具本体に連結する連結部と、所定の長さの棒状把手部と、棒状把手部の途中位置から横方に突出させた把持部とを備えた操作部品を、工具本体に装着してなるものである。
【００１７】
従って持ち手を使用して工具の操作が可能であり、更に棒状の操作部品を工具本体に装着すると、立ったままでの作業が可能となる。
【考案の効果】
【００１８】
本考案に係る建物外壁材の裏面断熱層の電動剥離工具及びその部品は上記の構成のとおりで、外壁材裏面の発泡樹脂部の分離を機械作業で行うことができ、分離された発泡樹脂部がシート状に分離されるので、分離後の取り扱いも容易になったもので、外壁材の廃棄処理を効率的に行えたものである。
【考案を実施するための最良の形態】
【００１９】
次に本考案の実施形態について説明する。本考案の実施形態に示した電動剥離工具は、工具本体１と、部品として装着した刃体部２及び鍔部３で構成される。
【００２０】
工具本体１は、既存のもので、少なくとも駆動モータを内蔵し、先部下方に垂設した左右横振動軸１１を備えたもので、具体的には、ヘッジトリマー（草刈り機）と称されるバリカン型の草刈機で、振動軸１１に連結されて左右横振動をなす可動刃体の取付部１２が設けられている。
【００２１】
また工具本体１を囲むようにしたリング状の持ち手１３を、工具本体１の下面に装着ボルト１４で固定するようにしている。
【００２２】
刃体部（本件考案の部品）２は、扇形状とし、基部に装着透孔２１を設け、前縁に切断用の刃部２２を形成したもので、装着透孔２１は、振動軸１１の断面形状に対応させた形状であり、刃部２２は、中央部分を膨出させた円弧状に形成したものである。
【００２３】
鍔部３は、装着部３１とガイド面部３２で形成され、装着部３１は、工具本体１の固定刃装着部分に装着できる形状で、振動軸１１と接しないようにした孔部３３と、装着ボルト用の装着孔３４と、装着ボルト１４などで挟持される挟持板部３５からなるものである。
【００２４】
またガイド面部３２は、装着部３１で工具本体１に装着固定した際に、工具本体１に装着した刃体部２の前縁（刃部２２）の後方上面近傍（当接状態でも良い）に、その先端が位置する庇状となる形状に形成したもので、刃体部２の前後長は予め充分に余裕を持たせ、ガイド面部３２が工具本体１の先部位置で充分な機能（分離した発泡樹脂部の捲り作用）を奏する傾斜角度を備えるようにする。
【００２５】
而して前記工具は、表面板ａの裏面に発泡樹脂部ｂを設けている外壁材Ａの廃棄に際して、発泡樹脂部ｂを表面板ａから剥離するために使用するもので、表面板ａを下にして表面板ａと発泡樹脂部ｂの間に刃部２２を差し込むと、刃体部２の左右横振動によって発泡樹脂部ｂと表面板ａとの間が分離されるものである。
【００２６】
従って外壁材Ａの一端側から刃体部２を表面板ａと発泡樹脂部ｂの間に差し入れ、工具本体１を左右移動させながら前方に進行させると、発泡樹脂部ｂは順次表面板ａより剥離し、工具本体１の前進に伴なって剥離された発泡樹脂部ｂは、傾斜ガイド面部３２に衝突して捲くり上げられることになり、剥離作業中に剥離済みの発泡樹脂部ｂが邪魔にならずスムーズに剥離作業がなされ、分離後の発泡樹脂部は１枚のシート状となるものである。
【００２７】
また刃体部２は前記の扇形状のものに限定されるものではなく、任意であるが、特に第二実施例として図２に例示する刃体部２ａのように、刃部２２ａ全体が波型に形成され、更に前縁の中央部が側方部分より突出した波型としても良く、この波型によって横方向切断が効果的に為されるものである。
【００２８】
更に図３に第三実施例として例示する刃体部２ｂのように、前縁に所定の間隔で突出させた櫛状の刃部２２ｂを備えるようにしても良く、この場合は図６に例示する表面に突出させた突条部分ｃを設けた外壁材（図６イ）Ａ１において、一旦突条部分ｃの発泡樹脂部ｄを残して通常とおり発泡樹脂部ｂを分離し（図６ロ）、前記刃体部２ｂに取り換えると、突条部分ｃの背面の発泡樹脂部ｄが容易に剥離することができる。
【００２９】
また既存の工具本体１は、持ち手１３を固定ボルト１５で止着している構造である（図７参照）。そこで前記の固定ボルト１５を利用すると他の操作部材４を装備させることができる。
【００３０】
図示した操作部材４は、連結部４１と、棒状把手部４２と、把持部４３で構成され、連結部４１は、棒状把手部４２の先端に設けたもので、工具本体１を囲繞する筒状体で、底面に前記した固定ボルト１５と対応するボルト孔４４を設けたものである。
【００３１】
棒状把手部は、人が立って作業ができる程度の長さとしたものであり、把持部４３は、棒状把手部の途中位置から横方に突出させたもので、その突出位置は、片方の手で棒状把手部４２を握り、他方の手で把持部４３を把握した場合に、先端に装着した工具本体１の操作がし易い位置に設けるものである。
【００３２】
而して図９に例示するとおり、操作部材４の連結部４１に工具本体１を装着すると、立ったままの楽な姿勢で発泡樹脂部ｂの剥離作業を実施することができ、より作業能率を向上させるものである。
【図面の簡単な説明】
【００３３】
【図１】本考案の部品の実施形態の全体斜視図。
【図２】同刃体部品の別例図（第二実施例）。
【図３】同刃体部品の別例図（第三実施例）。
【図４】同工具の全体斜視図。
【図５】同使用状態の説明図。
【図６】本考案の実施対象の外壁材の別例の実施状態の説明図。
【図７】同工具の底面図
【図８】同操作部材の斜視図。
【図９】同操作部材を使用した状態の説明図。
【符号の説明】
【００３４】
１                  工具本体
１１                左右横振動軸
１２                取付部
１３                持ち手
１４                装着ボルト
１５                固定ボルト
２，２ａ，２ｂ        刃体部（刃体部品）
２１                装着透孔
２２，２２ａ，２２ｂ  刃部
３                  鍔部（鍔部品）
３１                装着部
３２                ガイド面部
３３                孔部
３４                装着孔
３５                挟持板部
４                  操作部材
４１                連結部
４２                棒状把手部
４３                把持部
４４                ボルト孔
Ａ，Ａ１            外壁材
ａ                  表面板（金属系板材）
ｂ，ｄ              発泡樹脂部（断熱層）
ｃ                  突条部分
【図１】
0003138501.tif 000003
【図２】
0003138501.tif 000004
【図３】
0003138501.tif 000005
【図４】
0003138501.tif 000006
【図５】
0003138501.tif 000007
【図６】
0003138501.tif 000008
【図７】
0003138501.tif 000009
【図８】
0003138501.tif 000010
【図９】
0003138501.tif 000011